(57)【要約】【課題】光硬化性樹脂を用いて、大面積のパターンを高い寸法精度で形成することが可能なパターン形成方法を提供する。【解決手段】所定のパターンで配置された凹部が形成された第１主面を有するモールドを用意する工程と、基板の第１表面に光硬化性樹脂の薄膜を形成する工程と、大気圧よりも低い圧力雰囲気下で基板の第１表面にモールドの第１主面を密着させる工程と、基板の第１表面にモールドの第１主面を密着させた状態で、基板およびモールドを加圧雰囲気下で保持する工程と、薄膜に光を照射し光硬化性樹脂を硬化する工程と、モールドと基板とを分離する工程とを包含する。光硬化性樹脂の薄膜はモールドの第１主面側に形成しても良い。【選択図】図２
2005135957.tif 000002
【特許請求の範囲】
【請求項１】
基板上に光硬化性樹脂を用いてパターンを形成する方法であって、
（ａ）所定のパターンで配置された凹部が形成された第１主面を有するモールドを用意する工程と、
（ｂ）前記基板の第１表面と前記モールドの第1主面の少なくとも一方に光硬化性樹脂の薄膜を形成する工程と、
（ｃ）前記工程（ｂ）の後で、大気圧よりも低い圧力雰囲気下で前記基板の前記第１表面に前記モールドの前記第１主面を密着させる工程と、
（ｄ）前記基板の前記第１表面に前記モールドの前記第１主面を密着させた状態で、前記基板および前記モールドを加圧雰囲気下で保持する工程と、
（ｅ）前記工程（ｄ）の後で、前記薄膜に光を照射し、前記光硬化性樹脂を硬化する工程と、
（ｆ）前記モールドと前記基板とを分離する工程と、
を包含する、パターン形成方法。
【請求項２】
前記モールドは透光性を有し、前記工程（ｅ）における光照射は前記モールド側から行われる、請求項１に記載のパターン形成方法。
【請求項３】
前記基板は透光性を有し、前記工程（ｅ）における光照射は前記基板側からもしくは、前記基板側と前記モールド側の両方から行われる、請求項１に記載のパターン形成方法。
【請求項４】
前記モールドは前記第１主面の外周に配置されたシール部材を有し、前記工程（ｃ）の後には、前記第１基板と前記モールドとの間隙に大気圧よりも低い圧力状態が形成されている、請求項１から３のいずれかに記載のパターン形成方法。
【請求項５】
前記モールドと前記基板とを受容する空隙を形成する一対の支持部材であって、少なくとも前記空隙に対応する部分は透光性を有し、且つ、前記空隙の外周にシール部材を有する支持部材を用意する工程を含み、
前記工程（ｃ）は前記空隙内で実行され、且つ、前記工程（ｃ）の後には、前記空隙内に大気圧よりも低い圧力状態が形成されている、請求項１から３のいずれかに記載のパターン形成方法。
【請求項６】
前記工程（ｆ）は、前記基板と前記モールドとの間隙に流体を吹き付ける工程を包含する、請求項１から５のいずれかに記載のパターン形成方法。
【請求項７】
請求項１から６のいずれかに記載の方法における前記工程（ｃ）から（ｆ）を実行するために用いられる装置であって、
複数の処理室と、前記基板および前記モールドを受容し、前記複数の処理室の間を移動させる搬送装置とを有し、
前記複数の処理室は、減圧密閉室と、加圧室と、分離室とを含み、前記減圧密閉室で前記工程（ｃ）を行い、前記加圧室で前記工程（ｄ）を行い、前記分離室で前記工程（ｆ）を行い、前記工程（ｅ）を前記加圧室内および／または前記加圧室から前記分離室に至る経路中で実行する、パターン形成装置。
【請求項８】
前記複数の処理室は、前記加圧室と前記分離室との間に設けられた光照射室をさらに有し、前記工程（ｅ）を前記光照射室で実行する、請求項７に記載のパターン形成装置。
【請求項９】
前記加圧室は、前記工程（ｃ）を経た前記基板を順じ受け入れ、複数の基板のそれぞれを所定の時間ずつ所定の圧力下で保持する、請求項７または８に記載のパターン形成装置。
【請求項１０】
前記減圧密閉室と前記加圧室との間、および／または前記光照射室と前記分離室との間に圧力調整室をさらに有する、請求項８または９に記載のパターン形成装置。
【請求項１１】
モールド移送室をさらに有し、前記搬送装置は、前記分離室で前記工程（ｆ）が実行された後の前記モールドを、前記モールド処理室を経由して再び前記減圧密閉室へ搬送する、請求項７から１０のいずれかに記載のパターン形成装置。
【発明の詳細な説明】
【技術分野】
【０００１】
本発明は、パターン形成方法およびそれに用いられるパターン形成装置に関し、特に、光硬化性樹脂を用いたパターン形成方法およびパターン形成装置に関する。
【背景技術】
【０００２】
液晶表示装置などの電子装置の製造工程におけるパターン形成方法として、ミクロンサイズまたはサブミクロンサイズの構造をパターン化できるフォトリソグラフィ法および電子ビームリソグラフィ法が用いられる。
【０００３】
フォトリソグラフィ法では、具体的には、次のような工程を経てパターンが形成される。例えば、半導体や金属の薄膜が形成されたガラス基板の表面に、スピンコート装置などの塗布装置を用いてフォトレジストを塗布する。次に露光装置を用いて、所定のパターンの透光部を有するフォトマスクを介してフォトレジスト層を露光する。現像装置を用いて露光されたフォトレジスト層を現像することによって、フォトマスクのパターン（またはネガポジが反転したパターン）が転写されたレジスト層が形成される。その後、ウエットエッチング又はドライエッチングなどによって、基板に形成される薄膜をエッチングする。最後に、基板のレジストを剥離する。このようにして、基板上に所定のパターンの薄膜が形成される。
【０００４】
フォトリソグラフィ法は、複数の装置が必要であるだけでなく、露光装置などの高価な装置が必要となるために、設備投資に対するコストの負担が大きいという問題がある。
【０００５】
また他のパターン形成方法として、例えばプラズマディスプレイの製造に用いられているスクリーン印刷法がある。スクリーン印刷法は、５０μｍ〜１００μｍ以上のパターンを形成する場合に有効であり、高価な露光装置が不要なので、フォトリソグラフィ法を用いる場合に比べて、装置に対するコストを低くすることができる。しかしながら、スクリーン印刷法は、スクリーン版の精度および印刷精度等が低く、微細パターンを形成する用途には用いることができない。
【０００６】
近年、フォトリソグラフィ技術と同程度またはそれ以下の微細なパターンの形成が可能な他のパターン形成方法の研究・開発が進んでいる。
【０００７】
例えば、特許文献１には、精度の良好なモールド（転写版）を用いて微細パターンを転写するパターン形成方法が開示されている。この方法では、基板上に樹脂フィルムを貼り付け、この樹脂フィルムの表面に、微細パターンを形成したモールドを押し付け、樹脂フィルムに凹凸形状を形成する。その後、この樹脂フィルムを通して基板をエッチング後、樹脂フィルムを除去することで基板に凹凸パターンを形成している。
【０００８】
また、特許文献２には、円周面に微細パターンが形成された円筒形状のモールドを回転させながら基板に押し付け、基板を平行移動させることでパターン転写を行うパターン形成方法が開示されている。この方法を用いることで、モールドを基板に押し付ける全圧力を小さくすることができるので装置を小型できる。特に大型基板に転写する場合には平板形状のモールドを用いる装置に比べて、小型化できる利点が大きい。
【０００９】
さらに、特許文献３には、基板上に液体状の光硬化性樹脂を塗布し、石英などの光透過性材料からなる微細パターンが形成されたモールドを基板上に押し付けながら光を照射することによって光硬化性樹脂を硬化させて、微細なパターンを形成する方法が開示されている。この方法を用いることで、モールドを基板上に押し付ける圧力を低減することができるので、高い圧力を加えることで生じるモールドと基板との間の位置精度の低下を防止することができる。
【特許文献１】特開２００１−２２３１８５号公報
【特許文献２】特開２００１−１９８９７９号公報
【特許文献３】特開２０００−１９４１４２号公報
【発明の開示】
【発明が解決しようとする課題】
【００１０】
しかしながら、特許文献１に記載されている方法は、モールドを押し付ける圧力が、例えば１００ｋｇｆ／ｃｍ2と非常に大きいので、大型基板にパターンを形成するためには非常に大きな力が必要になり、大型基板に適用することは非常に困難である。
【００１１】
また、特許文献２に記載されている方法では、円筒形状のモールドを用いることで基板とモールドとの接触面積を小さくすることができるので、接触部分の押し付け圧力が同じでも押し付けの全圧力を小さくすることができる。したがって、大型基板に容易に適用できる。しかしながら、モールドを回転するともに、基板を平行移動させながら、パターン転写するので、基板とモールドとの間で滑りが発生するなどして、良好な寸法精度を得ることが難しい。
【００１２】
また、特許文献３に記載されている方法を用いると、光硬化性樹脂を用いることで押し付け圧力を低減でき、良好な寸法精度を得ることが可能となる。しかしながら、光硬化性樹脂を硬化させるには、モールドを通して材料に光を照射しながら押し付ける機構が必要となる。このため実用上は透光性のモールドの外周部に押し付け圧力を加えながら、モールドの内側に光を照射する機構となるため、モールドが大きくなると押し付け圧力が全面に均一に加えることができないので、均一な転写ができなくなるため、大型基板への転写が難しいという問題がある。また、大面積のモールドを基板に押し当てる際に、空気を噛み込みやすく、その結果、パターンにボイドが形成されることがある。
【００１３】
本発明の目的は、光硬化性樹脂を用いて、大面積のパターンを高い寸法精度で形成することが可能なパターン形成方法およびそのような方法を実行するために好適に用いられるパターン形成装置を提供することを目的とする。
【課題を解決するための手段】
【００１４】
本発明によるパターン形成方法は、基板上に光硬化性樹脂を用いてパターンを形成する方法であって、（ａ）所定のパターンで配置された凹部が形成された第１主面を有するモールドを用意する工程と、（ｂ）前記基板の第１表面と前記モールドの第1主面の少なくとも一方に光硬化性樹脂の薄膜を形成する工程と、（ｃ）前記工程（ｂ）の後で、大気圧よりも低い圧力雰囲気下で前記基板の前記第１表面に前記モールドの前記第１主面を密着させる工程と、（ｄ）前記基板の前記第１表面に前記モールドの前記第１主面を密着させた状態で、前記基板および前記モールドを加圧雰囲気下で保持する工程と、（ｅ）前記工程（ｄ）の後で、前記薄膜に光を照射し、前記光硬化性樹脂を硬化する工程と、（ｆ）前記モールドと前記基板とを分離する工程とを包含することを特徴とする。
【００１５】
ある実施形態において、前記モールドは透光性を有し、前記工程（ｅ）における光照射は前記モールド側から行われる。
【００１６】
ある実施形態において、前記基板は透光性を有し、前記工程（ｅ）における光照射は前記基板側からか、前記基板側と前記モールド側の両方から行われる。
【００１７】
ある実施形態において、前記モールドは前記第１主面の外周に配置されたシール部材を有し、前記工程（ｃ）の後には、前記第１基板と前記モールドとの間隙に大気圧よりも低い圧力状態が形成されている。
【００１８】
ある実施形態において、前記モールドと前記基板とを受容する空隙を形成する一対の支持部材であって、少なくとも前記空隙に対応する部分は透光性を有し、且つ、前記空隙の外周にシール部材を有する支持部材を用意する工程を含み、前記工程（ｃ）は前記空隙内で実行され、且つ、前記工程（ｃ）の後には、前記空隙内に大気圧よりも低い圧力状態が形成されている。
【００１９】
ある実施形態において、前記工程（ｆ）は、前記基板と前記モールドとの間隙に流体を吹き付ける工程を包含する。
【００２０】
本発明のパターン形成装置は、上記のいずれかの方法における前記工程（ｃ）から（ｆ）を実行するために用いられる装置であって、複数の処理室と、前記基板および前記モールドを受容し、前記複数の処理室の間を移動させる搬送装置とを有し、前記複数の処理室は、減圧密閉室と、加圧室と、分離室とを含み、前記減圧密閉室で前記工程（ｃ）を行い、前記加圧室で前記工程（ｄ）を行い、前記分離室で前記工程（ｆ）を行い、前記工程（ｅ）を前記加圧室内および／または前記加圧室から前記分離室に至る経路中で実行することを特徴とする。
【００２１】
ある実施形態において、前記複数の処理室は、前記加圧室と前記分離室との間に設けられた光照射室をさらに有し、前記工程（ｅ）を前記光照射室で実行する。
【００２２】
ある実施形態において、前記加圧室は、前記工程（ｃ）を経た前記基板を順じ受け入れ、複数の基板のそれぞれを所定の時間ずつ所定の圧力下で保持する。
【００２３】
ある実施形態において、前記減圧密閉室と前記加圧室との間、および／または前記光照射室と前記分離室との間に圧力調整室をさらに有する。
【００２４】
ある実施形態において、モールド移送室をさらに有し、前記搬送装置は、前記分離室で前記工程（ｆ）が実行された後の前記モールドを、前記モールド処理室を経由して再び前記減圧密閉室へ搬送する。
【発明の効果】
【００２５】
本発明のパターン形成方法においては、大気圧よりも低い圧力下で密着工程が実行されるので、空気の噛み込みが抑制される。また、光硬化性樹脂に不純物として含まれる揮発成分（低分子成分）も除去される。なお、揮発成分はボイドの原因になったり、硬化物の物性を低下させるなどの悪影響を及ぼすので除去することが好ましい。
【００２６】
さらに、互いに密着された基板とモールドは加圧雰囲気（ガス圧）によって押圧されるので、全面に均一に圧力を加えることができる。したがって、例えば１０００ｍｍ□を超えるような大面積の基板に対してモールドを全面に均一に押し付けることができる。また、パターンずれの発生が抑制され、高い寸法精度でパターンを形成することができる。
【００２７】
本発明のパターン形成装置を用いると、上記のパターン形成方法を効率良く実行できる。さらに、上記のパターン形成方法をインラインで実行することが可能となる。
【発明を実施するための最良の形態】
【００２８】
以下、図面を参照しながら、本発明によるパターン形成方法およびパターン形成装置の実施形態を説明する。なお、本発明は以下の実施形態に限定されるものではい。
【００２９】
図１は、本発明の実施形態のパターン形成装置１０を模式的に示す図である。
【００３０】
図１に示したようにパターン形成装置１０は、モールドと基板（被加工材）とを密着させる減圧密閉室１２と、圧力調整室１３、加圧室１４、光照射室１５、圧力調整室１６、及び密着しているモールドと基板（「合わせ基板」ということがある。）を分離する分離室１７、モールド移送室１８を有している。さらに、パターン形成装置１０は、モールドおよび基板を、複数の処理室（減圧密閉室１２と、圧力調整室１３、加圧室１４、光照射室１５、圧力調整室１６、分離室１７、モールド移送室１８）の間を移動させるための搬送装置を有している。搬送装置は例えばベルトコンベアである。このように、パターン形成装置１０は、各処理室が連続して接続されたインライン構成を有しており、更に、モールドを順次使い回しできるように、モールド移送室１８を備えている。以下では、基板として、透光性絶縁性基板であるガラス基板を用い、光硬化性樹脂として紫外線硬化樹脂を用いる例を説明する。
【００３１】
まず、ガラス基板１１の主面上に紫外線硬化樹脂を均一に塗布する。紫外線硬化樹脂の塗布は、例えば、スピンコート法やスリットコート法を用いて実行される。
【００３２】
紫外線硬化樹脂が均一に塗布されたガラス基板１１は、搬送装置に受容され、減圧密閉室１２に導入される。一方、モールドはモールド移送室１８から減圧密閉室１２に導入される。減圧密閉室１２内を大気圧よりも低い圧力雰囲気（例えば数Ｔｏｒｒ以下程度）にした状態でガラス基板１２にモールドを押し付け密着させる。大気圧よりも低い圧力下で密着工程が実行されるので、空気の噛み込みが抑制される。また、光硬化性樹脂に不純物として含まれる揮発成分（低分子成分）も除去される。
【００３３】
基板１１とモールド２１とを密着させる際のアライメントは公知の方法で実行することができる。例えば、基板１１のコーナ付近とモールド２１の対応する所定の位置にアライメントマークを設けて光学的に位置合わせを行ってもよいし、互いに勘合するパターンをあらかじめ形成しておき機械的にアライメントしてもよい。また、基板１１に対する最初のパターン形成の際には、基板１１とモールド２１の外形を基準にアライメントし、この第１回目のパターン形成の際に、アライメントマークを形成してもよい。
【００３４】
なお、このようにして得られたモールドが密着されたガラス基板１２を合わせ基板１９と称することにする。モールドとしては、例えば、表面に凹凸パターンを形成した透光性材料である石英基板を用いることができる。ここでは、紫外線を十分に透過することができ、微細な凹凸パターン（例えば１０μｍ以下）を形成できる材料を選択すれば良い。
【００３５】
合わせ基板１９を圧力調整室１３に移送する。圧力調整室１３内では、減圧雰囲気から加圧雰囲気（１５ｋｇｆ／ｃｍ2）に圧力調整された後、加圧雰囲気に保たれる。圧力調整室１３を経た合わせ基板１９は、加圧室１４に導入される。加圧室１４内も加圧雰囲気（１５ｋｇｆ／ｃｍ2）に保たれており、一定時間の間、合わせ基板１９を加圧室１４内に存在させることによって、全面に均一圧力でモールドがガラス基板１１に押し付けられる。互いに密着された基板とモールドはガス圧によって押圧されるので、全面に均一に圧力を加えることができ、例えば１０００ｍｍ□を超えるような大面積の基板に対してモールドを全面に均一に押し付けることができる。また、パターンずれの発生が抑制される。なお、圧力調整室１３を省略することもできるが、加圧室１４の圧力変動の抑制および／または圧力調整の時間短縮のためには、圧力調整室１３を設けることが好ましい。
【００３６】
次に合わせ基板１９を光照射室１５に移送する。光照射室１５では、合わせ基板１９を加圧した状態（例えば、１５ｋｇｆ／ｃｍ2）で、モールド側から基板１１の全面に紫外線照射を行い、紫外線硬化樹脂を硬化させる。照射時間は、例えば約１０秒である。モールドと基板１１との間に紫外線硬化樹脂を密閉すると、たとえ雰囲気中に酸素が含まれていても、紫外線硬化樹脂の硬化反応（典型的にはラジカル重合）が阻害されることが無く、例えば高圧水銀灯の３６５ｎｍの紫外線で、１Ｊ／ｃｍ2程度の照射量で十分に硬化することができる。もちろん、必要に応じて、光照射室１５内を例えば窒素ガス雰囲気としてもよい。ここでは、光照射室１５を加圧室１４と別に設けたが、同一の処理室内で加圧および光照射を行うように構成してもよい。例えば、加圧室１４内部の基板昇降機部３２の最上部近傍に紫外線ランプを設置してもよい。
【００３７】
次に、圧力調整室１６に合わせ基板１９を移送する。圧力調整室１６内は、合わせ基板１９が導入される前に加圧された状態になっており、合わせ基板１９を室内に導入した後、減圧して大気圧状態にする。その後、分離室１７に合わせ基板１９を移送する。分離室１７では、合わせ基板１９のモールドとガラス基板とを互いに分離する。例えば、モールドとガラス基板の外側面をそれぞれ真空チャックで吸着した状態で、引き離すことでモールドとガラス基板が分離される。なお、圧力調整室１６も省略することができる。
【００３８】
主面に凹凸パターンが形成されたガラス基板は、搬送装置によって、パターン形成装置１０の外部に搬出され、モールドは、モールド移送室１８に移送される。モールドは、その後、減圧密閉室１２に移送され、次のパターン形成プロセスで再度利用される。なお、ここでは図示していないが、モールド移送室１８内でモールドは必要に応じて洗浄できるように構成してもよい。モールドの洗浄は、例えば、酸素を用いたアッシングや紫外線洗浄、超音波洗浄、あるいは有機溶剤やイオン水洗浄などの方法で実行され得る。
【００３９】
次に、図２（ａ）および（ｂ）を参照しながら、減圧密閉室１２の具体的な構成例を説明する。
【００４０】
紫外線硬化樹脂を塗布したガラス基板１１は、導入口２６から減圧密閉室１２内に導入され、位置合わせステージ２５の上に配置される。モールド２１には、外周部にシール部材（パッキン）２２が配置されており、モールド密着機構として働く。すなわち、このパッキン２２によって、モールド２１と基板１１とを減圧雰囲気下で密着させた後に、基板１１とモールド２１との間隙に大気圧よりも低い圧力状態が形成・維持される。パッキン２２を設けることによって、基板１１とモールド２１との間隙を減圧状態に保つことができるので、搬送中の位置ずれの発生を防止することもできる。
【００４１】
図２（ａ）に示すように、モールド２１は例えば静電チャック２３によって保持される。静電チャック２３はモールド昇降機構２４に接続されている。モールド２１を基板１１に押し付ける前に、例えば真空ポンプを用いて減圧密閉室１２内部を減圧状態に保持しておき、図２（ｂ）に示すように、モールド昇降機構２４を用いてモールド２１をガラス基板１１に押し付ける。押し付けた状態で減圧密閉室１２内部の圧力を大気圧に戻し、静電チャックのチャック機能を解除して、静電チャックを上昇させることで、モールド２１とガラス基板１１が密着した合わせ基板１９が構成される。この後、搬出口２７を開き、合わせ基板１９を次の圧力調整室１３に移送する。
【００４２】
次に、図３を参照しながら、加圧室１４の具体的な構成例を説明する。
【００４３】
加圧室１４内部は、例えば、コンプレッサー（不図示）を用いて、窒素雰囲気で１５ｋｇｆ／ｃｍ2に保たれている。搬入口３６を開いて合わせ基板１９を導入し、搬送機構３１の上に配置する。
【００４４】
モールドのパターンを紫外線硬化樹脂に転写するには、一定時間（例えば５分間）押し付けた状態を保持する必要があるため、装置全体のスループットを高めるには、加圧室１４内に複数の合わせ基板１９を保持して加圧処理できるようにすることが好ましい。ここでは、基板昇降機部３２に５枚保持できる構成を例示している。具体的には、搬送機構３１の上に配置された合わせ基板１９は、搬送機構３１を用いて水平方向に合わせ基板１９を移動させ、基板昇降機部３２の最下部に導入される。基板昇降機部３２に配置された合わせ基板１９は順次上部に上昇し、静水圧状態で全面均一に加圧されている。
【００４５】
最上部に到達した合わせ基板１９は、搬出口３７から、次の光照射室１５に移送される。合わせ基板１９を加圧室１４内に存在させる時間は、基板昇降機部３２の上昇速度で決められる。
【００４６】
次に、図４を参照しながら、光照射室１５の具体的な構成例を説明する。
【００４７】
光照射室１５内部には、紫外線照射ランプ（例えば高圧水銀灯）４３と搬送機構４１と保持台４２が配置されている。搬入口４６を開いて、搬送機構４１を水平方向に前後させて加圧室１４から合わせ基板１９を搬送して、保持台４２の上に配置する。
【００４８】
この状態で、紫外線照射ランプ４３を点灯させ、モールド２１の上面を通してガラス基板１１全面に照射し、ガラス基板１１上部の紫外線硬化樹脂を硬化させ、凹凸パターンを固定化することでパターン転写を行う。透光性材料を用いてモールド２１を構成することによって、光照射をモールド側から実行できる。従って、例えば表示装置用のＴＦＴ基板のように遮光性材料で形成された構成要素を有する基板上にも、所望の形状のパターンを形成することができる。
【００４９】
紫外線硬化樹脂を硬化した後、合わせ基板１９は、搬出口４７から、搬送機構４１によって、次の圧力調整室１６に移送される。
【００５０】
分離室１７は、室内が大気圧になっており、合わせ基板１９のモールド２１とガラス基板１１とを分離する機構を有している。分離するための機構は、例えば以下のように構成される。
【００５１】
合わせ基板１９のモールド２１とガラス基板１１の外側面をそれぞれ例えば真空チャックで吸着することでそれぞれを固定する。ここで、ガラス基板の吸着は、外周部のみを吸着することが好ましい。この状態で、モールド２１とガラス基板１１が密着している界面に、流体（例えば圧縮空気などの気体や液体）を吹きこみながら、モールド２１とガラス基板１１を引き離すように力を加えることによって、ガラス基板の外周部から徐々に引き離す力が加わるため、モールドとガラス基板を良好な状態で分離できる。従って、大面積の基板であってもパターンにダメージを与えることなくモールドと分離することがきる。
【００５２】
以上のように本実施の形態のパターン形成装置１０によれば、光硬化樹脂を用いたパターン形成を効率よく、全面に均一性よく行うことができ、大型基板に対しても有効に行うことができる。
【００５３】
上記の例では、モールド密着機構をモールド２１に配置したが、これに限られない。例えば、図５（ａ）〜（ｃ）に示す構成を採用することができる。
【００５４】
図５に示すモールド密着機構は、モールド２１と基板１１とを受容する空隙を形成する一対の支持部材（下部密着治具５１および上部密着治具５３）を有し、かつ、空隙の外周にシール部材（パッキン５２および５４）を有する。もちろん、上部密着治具５３の合わせ基板１９を受容する領域（紫外線を照射する領域）は透光性を有する材料で形成するが、その他の領域は、例えばアルミなので金属で形成する。
【００５５】
基板１１を下部密着治具５１に装着し、モールド２１を上部密着治具５３に装着した状態で、減圧密閉室１２内で、上述と同様にモールド２１と基板１１とを密着させることによって、下部密着治具５１と上部密着治具５３との間に減圧状態を形成・維持することができる。この後の工程は、合わせ基板１９を下部密着治具５１と上部密着治具５３との間に保持したままで実行される。合わせ基板１９は、例えば金属で形成された治具５１および５３で保護された状態で搬送されるので、一連の工程で、基板１１への傷発生等を防止することができ、生産性を改善することができる。
【００５６】
上記のパターン形成装置１０を用いて、例えば、大型の液晶表示装置用のＴＦＴ基板を作製することができる。例えば、ガラス基板１１として７００ｍｍ×９００ｍｍの基板を用いて、例えば線幅が１０μｍの配線（例えばＴａ配線）を作るためのエッチングレジスト層を形成することができる。紫外線硬化樹脂としては、例えばウレタンアクリレート（粘度７２ｃｐｓ）を好適に用いることができる。このウレタンアクリレートは、成膜性に優れ、厚さ４μｍ程度の膜をスリットコータを用いて均一に形成でき、かつ、３６５ｎｍの紫外線で１Ｊ／ｃｍ2程度の照射量で十分に硬化することができる。配線を形成した後の紫外線硬化樹脂の除去は、酸素を用いたアッシングにより行うことができる。この後、必要に応じて、イオン水洗浄などを行っても良い。
【００５７】
上記の例では、光照射をモールド側から行ったが、これに限られない。例えば、透光性基板を用いて基板側から光照射を行っても良いし、モールド側と基板側の両方から光照射を行っても良い。また、上記の例では光硬化性樹脂の塗布を基板に行ったが、これに限られない。例えば、モールドに塗布しても良いし、モールドと基板の両方に塗布しても良い。さらに、光硬化性樹脂の薄膜の形成は、塗布方法に限らない。例えば、光硬化性樹脂からなる薄膜シートをラミネーターを用いて貼り合せて形成しても良い。薄膜シートを用いることで薄膜形成工程を短縮することができ、生産性を向上させることができる。またラミネーターを用いた薄膜形成工程は工程が短いため、パターン形成装置に組み込むことが容易であり、薄膜形成工程も含んだパターン形成装置を構成することができるので、別々の装置に比べて装置のフットプリント生産性を高めることができる。
【産業上の利用可能性】
【００５８】
本発明によれば、光硬化樹脂を用いたパターン形成を効率よく、全面に均一性よく行うことができ、大型基板に対しても有効に行うことができる。また、パターン形成装置をインライン構成にすることでスループットを向上させることができる。
【図面の簡単な説明】
【００５９】
【図１】本発明の実施形態のパターン形成装置１０を模式的に示す図である。
【図２】（ａ）および（ｂ）は、パターン形成装置１０の減圧密閉室１２の構成例を示す模式図である。
【図３】パターン形成装置１０の加圧室１４の構成例を示す模式図である。
【図４】パターン形成装置１０の光照射室１５の構成例を示す模式図である。
【図５】（ａ），（ｂ）および（ｃ）は、パターン形成装置１０に好適に用いることができるモールド密着機構の構成例を示す模式図である。
【符号の説明】
【００６０】
１０  パターン形成装置
１１  基板
１２  減圧密閉室
１３  圧力調整室
１４、１６  加圧室
１５  光照射室
１７  分離室
１８  モールド移送室
２１  モールド
【図１】
2005135957.tif 000003
【図２】
2005135957.tif 000004
【図３】
2005135957.tif 000005
【図４】
2005135957.tif 000006
【図５】
2005135957.tif 000007